(57)【特許請求の範囲】
【請求項１】
登山靴のソール（５）と、このソール（５）に形成された少なくとも１つの取り付け座部（６）と、アイゼン（１）によって支持され、このアイゼン（１）を前記登山靴（２）に固定するように前記取り付け座部（６）に係合する少なくとも１つの取り付け部材（２４）とを具備する前記登山靴（２）に前記アイゼンを取り付けるための取り付けシステムにおいて、前記取り付け座部（６）は、前記ソール（５）のフロント部分に形成され、前記ソール（５）の外表面から前記登山靴（２）の内方に延びたホール（１７）によって規定され、また、前記取り付け部材（２４）は、一端部（２４ａ）が、登山靴（２）の前記ホール（１７）中に係合して、前記アイゼン（１）を前記登山靴に固定するように形成された付属物（２４）によって規定され、前記登山靴（２）のソール（５）は、インナソール（９）を備え、前記ホール（１７）が、前記インナソール（９）に部分的に形成され、前記アイゼン（１）は、少なくとも１つのプレート（２０、２１）と、前記プレート（２０、２１）から突出した少なくとも１つのスパイク（２２、２３）とを備え、前記付属物（２４）は、前記プレート（２０、２１）のフロント部分に固定されていることを特徴とする取り付けシステム。
【請求項２】
前記インナソール（９）は、前記ホール（１７）が部分的に形成された剛性インサート（１９）を備えていることを特徴とする請求項１に記載の取り付けシステム。
【請求項３】
前記付属物は、ほぼフック形状であることを特徴とする請求項１または２のいずれか１項に記載の取り付けシステム。
【請求項４】
前記プレート（２０、２１）に対する前記登山靴（２）の横方向変位を防止するように、前記アイゼン（１）のプレート（２０、２１）から上方に突出した少なくとも２つの側面タブ（３０）を具備することを特徴とする請求項１乃至３のいずれか１項に記載の取り付けシステム。
【請求項５】
前記アイゼン（１）によって支持され、前記登山靴（２）のリア部分を前記アイゼン（１）にロックするためのリア取り付け装置（２５）を具備することを特徴とする請求項１乃至４のいずれか１項に記載の取り付けシステム。
【請求項６】
バンプ（４）と、このバンプ（４）の底部部分に固定されたソール（５）と、このソール（５）のフロント部分に形成されている少なくとも１つの取り付け座部（６）とを具備する登山靴（２）において、前記取り付け座部（６）は、前記ソール（５）の外表面から前記登山靴（２）の内方に延びたホール（１７）によって規定され、このホール（１７）は、アイゼン（１）を前記登山靴（２）に固定するように前記アイゼン（１）に堅固に固定された付属物（２４）を中に受容するのに適し、前記ソール（５）は、インナソール（９）を備え、前記ホール（１７）は、このインナソール（９）に部分的に形成されていることを特徴とする登山靴（２）。
【請求項７】
前記インナソール（９）は、前記取り付け座部（６）が、部分的に形成された剛性インサート（１９）を備えていることを特徴とする請求項６に記載の登山靴。
【請求項８】
少なくとも１つのプレート（２０、２１）と、このプレート（２０、２１）から突出した少なくとも１つのスパイク（２２、２３）と、前記プレート（２０、２１）に堅固に固定された少なくとも１つの取り付け部材（２４）とを具備するアイゼン（１）において、この取り付け部材（２４）は、前記プレート（２０、２１）にわたり少なくとも部分的に突出し、登山靴に形成されたホール（１７）に係合するように、前記アイゼン（１）を前記登山靴（２）に固定し、前記取り付け部材（２４）は、前記プレート（２０、２１）のフロント部分の先端に堅固に固定され、一端（２４ａ）が前記登山靴のホール（１７）中に係合するように形成された付属物（２４）により規定されていることを特徴とするアイゼン。
【請求項９】
前記付属物（２４）は、ほぼフック形状であることを特徴とする請求項８に記載のアイゼン。
【請求項１０】
前記付属物（２４）は、ほぼ矩形断面を有する剛性で、ほぼＣ形状のセクションによって規定されていることを特徴とする請求項９に記載の登山靴。
【請求項１１】
前記プレート（２０、２１）に対する前記登山靴（２）の横方向変位を防止するように、前記プレート（２０、２１）から上方に突出した少なくとも２つの側面タブ（３０）を具備することを特徴とする請求項８または９に記載のアイゼン。
【請求項１２】
前記登山靴（２）のリア部分を、前記アイゼン（１）にロックするためのリア取り付け装置（２５）を具備することを特徴とする請求項８乃至１１のいずれか１項に記載のアイゼン。
【発明の詳細な説明】
【０００１】
【発明の属する技術分野】
本発明は、アイゼン、登山靴および関連取り付けシステムに関する。
【０００２】
特に、本発明は、たとえば、登山、トレッキング、スキー登山および同種のことのためのアイゼンと、一般的登山靴とに関して、下記の説明は、単に例として言及している。
【０００３】
【従来の技術】
周知のように、アイゼンは、固く圧縮された雪、あるいは、氷で覆われている地面、あるいは、岩壁での使用者のグリップと安定性とを改善するために、登山靴のソールの下に固定される。
【０００４】
一般に周知のアイゼンは、フロントプレートとリアプレートとを通常備え、それらは、靴のソールのフロント部分とリア部分との下にそれぞれに固定され、そして、歩くとき、特定量の柔軟性構造を可能とするために、通常互いにヒンジ式に取り付けられ、そして、靴が地面に位置を占めるとき、氷、あるいは、固く圧縮された雪の層に貫通するように、２つのプレートの周縁エッジから突出したいくつかの底部スパイクを有している。
【０００５】
アイゼンは、さらに、フロントプレートのフロントエッジから前方に突出するいくつかのフロントスパイクを備え、ほぼ垂直に切り立った岩壁を登るとき、それによって、靴のつま先の部分を氷、あるいは、固く圧縮された雪の層に打ち込む。
【０００６】
周知のように、アイゼンは、一般に、フロント取り付けブラケットと、フロントプレートとリアプレートとにそれぞれに固定されるリア取り付け装置とによって、登山靴のソールに固定されている。
【０００７】
フロント取り付けブラケットは、靴のつま先の部分をアイゼンのフロントプレートにロックし、そして、フロントプレートで、靴のソールのフロント部分によって係合される閉鎖されたリングを形成するために、両端部で、アイゼンのフロントプレートにヒンジ式に取り付けられるＵ形状メタルバーによって規定されている。
【０００８】
前記リア取り付け装置は、靴のリア部分をアイゼンのリアプレートにロックし、そして、靴のつま先の部分をフロント取り付けブラケットに接してもたれ掛からせ続けるために、靴のヒールにクランプで締めるロックレバーと、そのロックレバーをリアプレートに接続する支持ブラケットとを備えている。
【０００９】
アイゼンは、さらに、靴のつま先の部分をフロント取り付けブラケットに接してもたれ掛からせ続けるべく、リア取り付け装置のロックレバーが靴のヒールにクランプで締められるロック位置から抜け出るのを防止するために、靴のインステップ周りに取り付けられる安全ストラップを備えている。
【００１０】
【発明が解決しようとする課題】
上記のタイプのアイゼンは、特に柔らかいバンプを有する登山靴に使用されるとき、比較的容易にゆるむという主な欠点を有している。
【００１１】
柔らかいバンプを有する登山靴は、実際には、きわめてフレキシブルであり、そのために、ソールのチップが、アイゼンのフロント取り付けブラケットから容易にゆるむことがあり、従って、靴からアイゼンの全体的分離、あるいは、部分的分離を結果として生じる。
【００１２】
上記の欠点を削除するために、周知のアイゼンは、アイゼンのフロントプレートを靴のソールにいっそうしっかりと取り付けるために、フォアフットとインステップで、靴のバンプ周りに取り付けられる補助ストラップを装備している。
【００１３】
補助ストラップを使用して、アイゼンを靴に固定することは、長期の心地よさを確実にする要求と矛盾している。
【００１４】
特に柔らかいバンプの場合、補助ストラップは、かなりの圧力をバンプに長期にわたって持続的に行使し、それにより、フットへの血液の循環を損ない、従って、長期間歩くとき、フットのひどい疲労とさらに起こり得る炎症とを結果として生ずる。
【００１５】
本発明の目的は、前述の欠点を除去するように設計されているアイゼンと登山靴とを提供することである。
【００１６】
【課題を解決するための手段】
本発明によれば、ソールを備えている登山靴にアイゼンを取り付けるための取り付けシステムが提供され、前記取り付けシステムは、前記登山靴のソールに形成される少なくとも１つの取り付け座部と、前記アイゼンによって支持された少なくとも１つの取り付け部材とを備え、前記アイゼンを前記登山靴に固定するように、前記取り付け座部に係合することを特徴とする。
【００１７】
本発明によれば、さらに、バンプと、バンプの底部分に固定されたソールとを備える登山靴が提供され、前記登山靴は、前記ソールに形成された少なくとも１つの取り付け座部を備えることにより特徴付けられている。
【００１８】
本発明によれば、さらに、少なくとも１つのプレートと、前記プレートから突出した少なくとも１つのスパイクとを備えているアイゼンとが提供され、前記アイゼンは、前記プレートに堅固に固定された少なくとも１つの取り付け部材を備え、前記取り付け部材が、登山靴に形成された取り付け座部に係合するように、前記プレート全体にわたり少なくとも部分的に突出し、前記アイゼンを前記登山靴に固定することを特徴とする。
【００１９】
【発明の実施の形態】
添付図面を参照して、これに限定されない本発明の一実施の形態を説明する。
【００２０】
図１における符号１と２は、以下に詳細に記述される独創的な取り付けシステムによって、互いに接続されるアイゼンと登山靴とをそれぞれに示している。
【００２１】
登山靴２は、革、あるいは、同種の物で作られる適切に形成されたバンプ４と、バンプ４の底部分に固定さたソール５とを備え、その先端には、アイゼン１を登山靴２に取り付ける少なくとも１つの取り付け座部６を備えている。
【００２２】
図２および図３を参照すると、示されている実施の形態において、ソール５は、ゴムで作られ、そして、ソール５の剛性を増大するために強化インナソール９を備えている。示されている実施の形態において、ソール５は、インナソール９に縫い合わされるか、あるいは、接着される上部面８を備え、そして、底部面１０は、アイゼン１が位置されるトレッド１１を有する。
【００２３】
ソール５は、フロント部分、即ち、フォアフット部分１３と、リア部分、あるいは、ヒール部分１４と、フットの土踏まずに位置された中間部分１５とを備えている。リア部分１４において、ソール５は、衝撃吸収物質、たとえば、ヒールによって衝撃を吸収するための物質で作られるインサート１６を備え、そして、ソール５の先端部チップは、フロント部分１３に前記取り付け座部６を備えている。
【００２４】
図１、図２、図３および図６を参照すると、取り付け座部６は、ソール５の内方に、かつ、ソール５のチップから延入し、そして、示されている例示において、ソール５のセンターライン平面Ｍと同一平面上にあり、かつ、ソール５の上部面８と底部面１０とにほぼ平行である長手方向軸Ａと同軸である。
【００２５】
示されている実施の形態において、取り付け座部６は、必ずしもというものではないが、矩形セクションを有し、そして、ソール５の外表面から、内方に、すなわち、インナソール９に向って延入することが好ましいデッドホール１７によって規定されている。示されている実施の形態において、このデッドホール１７は、フロント部分１３のチップのゴム部分に形成される始部分１７ａと、インナソール９のフロント部分に形成される端部部分１７ｂとを備えている。
【００２６】
図１、図２および図３を参照すると、示されている実施の形態において、インナソール９のフロント部分は、きわめて剛性な物質で作られた強化インサート１９を備え、そして、その強化インサートには、デッドホール１７の端部部分１７ｂが、高い程度の剛性を取り付け座部６に与えるように形成されている。
【００２７】
示されている実施の形態において、強化インサート１９は、インナソール９の支持部に埋め込まれたＵ字形状メタルインサートによって規定されている。
【００２８】
インナソール９が、必ずしもというものではないが、衝撃吸収物質のインサート１６全体にわたりリア部分よりも剛性のフロント部分を有するように、２成分のプラスチック材で作られることが好ましいことは指摘されるべきである。
【００２９】
さらに、ソール５は、全体に、剛性物質で作られることができることは指摘されるべきであり、その場合、強化インナソール９は任意である、
図１、図４、図５および図６を参照すると、アイゼン１は、フロントプレート２０とリアプレート２１とを備え、それらは、登山靴２のソール５の下に固定され、そして、ソール５のフロント部分１３とリア部分１４とにおけるトレッドにそれぞれに位置されている。
【００３０】
前記フロントプレート２０およびリアプレート２１は、メタルで作られ、特定量の柔軟性を構造に与え、そして、歩くとき、登山靴２のソール５の変形を可能とするために、必ずしもというものではないが、互いにヒンジ式に取り付けられることが好ましく、そして、登山靴２が地面上に位置されるとき、氷、あるいは、固く圧縮された雪の層を貫通するように、登山靴２のソール５が位置される２つのプレートの面への対向する側に、フロントプレート２０とリアプレート２１の周縁エッジから突出するいくつかの底部スパイク２２を備えている。
【００３１】
アイゼン１は、さらに、フロントプレート２０の周縁エッジのフロント部分から突出し、そして、登山靴２のつま先の部分が、氷、あるいは、固く圧縮された雪の層に打ち込まれることを可能とするために、アイゼン１に対して前方に方向付けられた２つのフロントスパイク２３を備えている。
【００３２】
図４を参照すると、フロントプレート２０は、述べられているように、ソール５のフロント部分１３の下側の方に嵌め込むように設計され、そして、堆積した雪、あるいは、氷を回避するために、中央貫通穴を有する形状のほぼ台形であり、そして、リアプレート２１は、ソール５のリア部分１４の下側の方に嵌め込むように設計されて、かつ、矩形セクションであるフロントプレート２０にヒンジ式に取り付けられる２つの端部を有するほぼＵ形状バーによって規定されている。
【００３３】
図１、図４、図５および図６を参照すると、アイゼン１は、さらに、アイゼン１のフロントプレート２０を登山靴２のソール５のフロント部分１３に取り付けるためのフロント取り付け部材２４と、登山靴２のリア部分をアイゼン１のリアプレート２１に選択的にロックするためのリア取り付け装置２５とを備えている。
【００３４】
特に、フロント取り付け部材２４は、フロントプレート２０のチップに堅固に固定され、そして、アイゼン１を登山靴２に接続させるために、登山靴２の取り付け座部６に係合するように形成されている。
【００３５】
特に、フロント取り付け部材２４は、２つのフロントスパイク２３間に、フロントプレート２０から突出した曲線状のフック形状の付属物２４によって規定され、そのため、その自由端部２４ａが、登山靴２のつま先の部分の取り付け座部６に係合するために、フロントプレート２０全体にわたり、すなわち、底部スパイク２２への対向する側に位置されている。
【００３６】
示されている実施の形態において、付属物２４は、取り付け座部６に相補的な断面、すなわち、デッドホール１７に相補的な矩形セクションを有する剛性で、ほぼＣ形状のメタルセクションによって規定され、そして、フロントプレート２０全体にわたり突出するようにフロントプレート２０のチップに固定されている。
【００３７】
特に、示されている実施の形態において、異なるタイプの登山靴２のために異なるサイズの付属物２４に交換されることを可能とするように、ボルト２９、あるいは、同種の物によって、付属物２４は、フロントプレート２０に固定される。
【００３８】
前記付属物２４は、さらに、２つのフロントスパイク２３間に、フロントプレート２０と一体的に形成されるか、あるいは、フロントプレート２０の周縁エッジのフロント部分に直接溶接されることができることは指摘されるべきである。
【００３９】
さらに、前記付属物２４およびフロントプレート２０は、登山靴２のソール５の厚さに応じて付属物２４の自由端部２４ａの位置を調整するように、付属物２４の自由端部２４ａとソール５が位置を占めるフロントプレート２０の面との間の間隔を調節するように接続されることができることは指摘されるべきである。
【００４０】
リア取り付け装置２５が、自由端部２４ａを有する付属物２４に位置を占める靴のつま先の部分をソール５のチップの取り付け座部６の内側に保持するために、登山靴２のヒールの方にクランプで締めるロックレバー２６と、ロックレバー２６をリアプレート２１に接続する支持ブラケット２７とを備えている。
【００４１】
特に、この支持ブラケット２７は、リアプレート２１の両側に形成された２つの調節穴２８の内側に挿入される２つの自由端部を有するＵ形状であり、また、ロックレバー２６は、支持ブラケット２７の中央部分で回転し、かつ、レバーの１つの端部が、ソール５のリア端部に位置を占めるロック位置に、また、ロック位置から移動可能であり、そして、登山靴２のつま先の部分を付属物２４に接して押し付けて、保持するように、レバーの側が、登山靴２のヒールに位置を占め、そのために、フック形状の付属物２４の自由端部２４ａは、ソール５のチップの取り付け座部６に係合する。
【００４２】
アイゼン１は、必ずしもというものではないが、さらに、登山靴２のつま先の部分を付属物２４に位置を占め続けるために、リア取り付け装置２５のロックレバー２６が、登山靴２のヒールの方にクランプで締められるロック位置から抜け出るのを防止するために、登山靴２のインステップ周りに取り付ける安全ストラップ３１を備えることが好ましい。
【００４３】
アイゼン１を登山靴２に取り付けるためのシステムは、故に、登山靴のつま先の部分の取り付け座部６と、アイゼン１のフロントプレート２０に固定されたフック形状の付属物２４と、アイゼン１のリアプレート２１に固定されたリア取り付け装置２５とを備えている。
【００４４】
図１、図４、図５および図６を参照すると、アイゼン１は、必ずしもというものではないが、さらに、アイゼン１のフロントプレートに対する登山靴２のあらゆる横方向移動を防止するために、付属物２４の対向する両側に、フロントプレート２０から突出する少なくとも２つの側面タブ３０を備えることが好ましい。
【００４５】
特に、側面タブ３０は、ソール５の、すなわち、クランプで締め、そして、トレッド１１の対向する両側を囲むように、２つのフロントスパイク２３の対向する両側で、フロントプレート２０のフロント周縁エッジから上方に突出している。
【００４６】
前記側面タブ３０は、さらに、取り付けシステムの一部を形成し、そして、アイゼン１のフロントプレート２０に対する登山靴２のあらゆる横方向変位が、フック形状の付属物２４の自由端部２４ａを取り付け座部６から誤って引き込むことを防止する役割を果たすことは指摘されるべきである。
【００４７】
実際の使用において、アイゼン１は、フック形状の付属物２４に接してフロントプレート２０とリアプレート２１とに登山靴２のつま先の部分を押し付けることによって、登山靴２に取り付けられ、そのため、付属物２４の自由端部２４ａは、ソール５の取り付け座部６に係合し、そして、２つの側面タブ３０は、ソール５の両側に係合する。
【００４８】
そのように行うことによって、登山靴２のソール５のフロント部分は、２つの側面タブ３０と、付属物２４とフロントプレート２０との間にトラップで止められる。
【００４９】
アイゼン１の登山靴２への取り付けは、ロックレバー２６をロック位置に配置するように、リア取り付け装置２５を登山靴２のヒールに閉めることによって完了される。
【００５０】
アイゼン１を登山靴２に取り付ける上記システムの主たる利点は、柔らかいバンプの場合、補助ストラップの必要性を削除することにあり、その結果、まさに、前述のストラップの使用によるあらゆる不快感を削除することになる。
【００５１】
記述される取り付けシステムは、さらに、迅速に、かつ、容易に使用でき、特に廉価で大量生産可能であるという利点を有している。
【００５２】
本発明の範囲から逸脱することなく、変更が、アイゼン１、登山靴２およびその２つを取り付けるシステムに行われ得ることは明らかである。
【００５３】
特に、登山靴２のバンプ４は、全体に、剛性物質、たとえば、塑性物質、あるいは、同種の物で作られることができ、その場合、取り付け座部６は、全体にソール５に形成されることは明らかである。
【図面の簡単な説明】
【図１】図１は、明瞭のためにパーツが取り除かれている、本発明の教示による登山靴およびアイゼンの斜視側面図である。
【図２】図２は、図１の登山靴のソールの上面図である。
【図３】図３は、図２における線Ｉ−Ｉに沿う登山靴ソールの断面図である。
【図４】図４は、本発明の教示によるアイゼンの全体を示す斜視図である。
【図５】図５は、図４のアイゼンの斜視側面図である。
【図６】図６は、図１に示される登山靴とアイゼンとを取り付けるためのシステムの詳細の斜視側面図である。
【符号の説明】
１…アイゼン、２…登山靴、５…ソール、６…取り付け座部、９…インナソール、１７…ホール、１９…剛性インサート、２０，２１…プレート、２２，２３…スパイク、２４…取り付け部材。
【図１】
0004248802.tif 000002
【図２】
0004248802.tif 000003
【図３】
0004248802.tif 000004
【図４】
0004248802.tif 000005
【図５】
0004248802.tif 000006
【図６】
0004248802.tif 000007